(57)【要約】【課題】照明光の光量を低下させることなくグレアの防止を図ることができる照明器具を提供する。【解決手段】光源２１および反射板２４を備えた灯具２０は、取付金具３０を介して、被取付面１１に取り付けられる枠体４０に取り付けられる。光源２１からの光や反射板２４で反射した光は、取付金具３０の光取出部３３から枠体４０に取り付けられているコーン部材５０に取り出され、所定方向に照射される。一部の光は光取出部３３に照射されるが、光取出部３３に照射方向に向かって拡径するテーパ部３４を設けたので、光取出部３３に照射された光は、テーパ部３４において反射する。テーパ部３４を、反射板２４の照射開口淵における第一の点Ｐ１と、コーン部材５０の照射開口淵において第一の点Ｐ１に対向する第二の点Ｐ２と、を結んだ直線Ｌ１よりも照射側に光を反射するようにした。これにより、テーパ部３４に照射された光は、直線Ｌ１の外側、すなわちグレア角内に照射されないので、照明光の光量を低下させることなくグレアの防止を図ることができる。【選択図】図４
2014107090.tif 000002
【特許請求の範囲】
【請求項１】
光源とこの光源からの光を所定方向に反射する反射板とを備えた灯具と、
被取付面に取り付けられる枠体と、
前記光源からの光を取り出す光取出部を有するとともに、前記灯具を前記枠体に取り付ける取付金具と、
前記枠体に取り付けられて前記光取出部からの光を所定方向に照射するコーン部材と、を有し、
前記光取出部に、照射方向に向かって拡径するテーパ部を設け、
前記テーパ部が、前記反射板の照射開口淵における第一の点と、前記コーン部材の照射開口淵において前記第一の点に対向する位置にある第二の点と、を結んだ直線よりも照射側に光を反射する照明器具。
【発明の詳細な説明】
【技術分野】
【０００１】
本発明は、光源および反射板からの光の照射範囲をコーンにより規制してグレアの低減を図る照明器具に関するものである。
【背景技術】
【０００２】
従来、天井等に取り付けられて下方を照明する照明器具において、所定範囲外に光源からの光が直接あるいは反射により照射されて生じるグレア（glare、眩輝）を防止することが行われている（例えば、特許文献１参照）。
図５に示すように、特許文献１に記載の照明器具１００は、例えば天井１０１等に取り付けられて下方へ照明光を照射するものである。
【０００３】
照明器具１００は、光源である高輝度ランプ１０２と、高輝度ランプ１０２からの光線を反射して配光制御する反射板１０３と、高輝度ランプ１０２および反射板１０３を保持する灯体１０４を有する。
灯体１０４は、器具本体１０５に設けられ水平面内で旋回可能な旋回台１０６に、上下方向へ回動可能に保持されており、照射方向が調整可能となっている。
器具本体１０５の下側には、高輝度ランプ１０２および反射板１０３からの光線を所定の範囲に規制するコーン１０７が設けられている。
【０００４】
コーン１０７は、上部開口から下部開口へと、徐々に内径が大きくなってお椀を伏せたような形状をしており、高輝度ランプ１０２からの光線ＬＢＣが所定のグレアカット角度θＢよりも小さな角度で照射されるのを規制する。
また、旋回台１０６の内側には、遮光部材としてのパッキン１０８が設けられている。
このため、高輝度ランプ１０２から照射された光線ＬＢＣ１は反射板１０３で反射され、反射光ＬＢＣ２は、反射板１０３とコーン１０７との間のパッキン１０８に入射する。
パッキン１０８に入射した反射光ＬＢＣ２は、パッキン１０８に吸収されるので、反射光ＬＢＣ３が意図しない方向（例えば、グレアカット角度θＢよりも小さな角度での照射）へ照射されるのを防止する。
【先行技術文献】
【特許文献】
【０００５】
【特許文献１】特開２０１０−１７０７３９号公報（第１図）
【発明の概要】
【発明が解決しようとする課題】
【０００６】
しかしながら、前述した特許文献１に記載の従来の照明器具１００においては、パッキン１０８に照射された光を吸収することにより、グレアカット角度θＢよりも小さな角度で反射するのを防止している。
このため、照明光の光量が低下するという問題があった。
【０００７】
本発明は、従来の問題を解決するためになされたもので、照明光の光量を低下させることなくグレアの防止を図ることができる照明器具を提供することを目的とする。
【課題を解決するための手段】
【０００８】
本発明の照明器具は、光源とこの光源からの光を所定方向に反射する反射板とを備えた灯具と、被取付面に取り付けられる枠体と、前記光源からの光を取り出す光取出部を有するとともに、前記灯具を前記枠体に取り付ける取付金具と、前記枠体に取り付けられて前記光取出部からの光を所定方向に照射するコーン部材と、を有し、前記光取出部に、照射方向に向かって拡径するテーパ部を設け、前記テーパ部が、前記反射板の照射開口淵における第一の点と、前記コーン部材の照射開口淵において前記第一の点に対向する位置にある第二の点と、を結んだ直線よりも照射側に光を反射するようにしたものである。
【発明の効果】
【０００９】
本発明は、灯具を枠体に取り付ける取付金具の光取出部に、照射方向に向かって拡径するテーパ部を設けたので、光取出部に照射された光は、テーパ部において反射する。ここで、テーパ部を、反射板の照射開口淵における第一の点と、コーン部材の照射開口淵において第一の点に対向する位置にある第二の点と、を結んだ直線よりも照射側に光を反射するようにした。このため、テーパ部に照射された光は、グレアカット角内に照射されないので、照明光の光量を低下させることなくグレアの防止を図ることができるという効果を有する照明器具を提供できる。
【図面の簡単な説明】
【００１０】
【図１】（Ａ）は本発明に係る実施形態の照明器具の平面図であり、（Ｂ）は（Ａ）中Ｂ方向から見た側面図
【図２】図１（Ａ）中ＩＩ−ＩＩ位置の断面図
【図３】本発明に係る実施形態の照明器具の分解斜視図
【図４】ＬＥＤ光源および反射板からの光の経路を示す説明図
【図５】従来の照明器具の断面図
【発明を実施するための形態】
【００１１】
以下、本発明の実施形態にかかる照明器具について、図面を用いて説明する。
図１（Ａ）および図１（Ｂ）に示すように、本発明の実施形態にかかる照明器具１０は、例えば天井面（被取付面）１１に設けられている取付開口１２に取り付けられて天井裏１３に収容され、下方へ照明光を照射するダウンライトとして使用することができる。
なお、以下の説明において、光照射方向を下方（下側）と云い、光照射方向と反対側を上方（上側）と云うこととする。
【００１２】
図１（Ａ）、図１（Ｂ）および図２に示すように、照明器具１０は、ＬＥＤ光源（光源）２１を有する灯具２０と、天井面１１に取り付けられる枠体４０と、灯具２０を枠体４０に取り付ける取付金具３０と、枠体４０に取り付けられるコーン部材５０を有する。
【００１３】
図２および図４に示すように、灯具２０は、全体円柱形状をしており、下面に凹部２２を有する。
凹部２２の上面２３には、回路基板２１１にＬＥＤ２１２を実装したＬＥＤ光源２１が取り付けられており、ＬＥＤ光源２１の下側には、反射板２４が設けられている。
反射板２４は、下方に向かって徐々に内径が大きくなる円錐台形状の反射面を有しており、ＬＥＤ光源２１から発せられた光を下方へ反射する。
【００１４】
図１および図３に示すように、灯具２０の上部には、ＬＥＤ光源２１が発した熱を放熱する多数の板状の放熱フィン２７が設けられている。
放熱フィン２７の上側には、矩形板状のブラケット２５が配置されている。
ブラケット２５は、灯具２０から張り出しているブラケット２５の一端部下面に、電源部２６が取り付けられている。
また、他端側には、ブラケット２５の左右両側端縁から下方に直角に折曲げ形成した一対の取付脚２５１を有しており、灯具２０または後述する取付金具３０にねじ止め（ねじ２５２）される。
【００１５】
図３に示すように、取付金具３０は、灯具２０の下面を支持する円板状の支持板３１と、支持板３１の外周縁の対向する位置において上側に折曲げ形成された一対の脚部３２を有する。
なお、脚部３２は、折曲げ加工により支持板３１と一体で設けることができるが、別個に設けて結合することもできる。
支持板３１の中心部には、ＬＥＤ光源２１の光を下方へ取り出す開口部（光取出部）３３が設けられている。
開口部３３には、下方に向かって徐々に内径が大きくなる略円錐台形状のテーパ部３４が設けられている。
なお、テーパ部３４の傾斜角度については、詳細を後述する。
【００１６】
テーパ部３４の上端における開口の内径は、灯具２０の反射板２４の下端における開口の内径よりも大きくなっており、ＬＥＤ光源２１および反射板２４からの光は、全て開口部３３から取付金具３０に入射される。
脚部３２は、全体Ｌ字形状に形成されており、支持板３１に直交して上方に形成された脚３２１と、脚３２１の上端を水平方向に折曲げた支持部３２２を有する。
なお、脚部３２の側面には、支持板３１の外周縁から連続するすりつけ部３５が設けられている。
また、電源部２６が取り付けられているブラケット２５は、一対の脚部３２を結ぶ線に対して直交する方向に取り付けられる。
【００１７】
枠体４０は、リング形状の枠受部４１と、枠受部４１から上方に直交して設けられた一対の立壁部４２を有する。
立壁部４２は、折曲げ加工により枠受部４１と一体で設けることができるが、別個に設けて結合することもできる。
立壁部４２は、枠受部４１において対称位置に対向して設けられており、立壁部４２の上端は水平に折曲げられて、取付部４３が設けられている。
取付部４３には、取付金具３０の脚部３２の支持部３２２が上方から重ねられ、ねじ等で固定されて取り付けられる。
【００１８】
立壁部４２の幅方向中央には、上下方向にスリット４２１が設けられており、スリット４２１には、押え板４４が上下方向に移動可能に設けられている。
押え板４４は、スリット４２１から外側に突出しており、常時、バネ部材（図示省略）によって下方に付勢されている。
従って、枠体４０を天井面１１の取付開口１２に取り付ける際には、押え板４４の下降する力により、枠受部４１の上面と押え板４４との間に天井を挟んで支持する。
【００１９】
コーン部材５０は、ＬＥＤ光源２１および反射板２４からの光線を所定の範囲に規制するものである。
コーン部材５０は、お椀を伏せたような円錐台形状をしており、上端部の天板５１および下端部の鍔部５２を有し、内面５３は鏡面仕上げ等を施して反射面となる。
天板５１の中央部には入射側開口５１１が設けられている。入射側開口５１１の内径は取付金具３０のテーパ部３４の下端部における外径よりも大きく形成されており、入射側開口５１１にテーパ部３４の下端部が嵌入する。
【００２０】
コーン部材５０は、枠体４０の枠受部４１の内側に、下方から挿入され、鍔部５２の上面が、枠受部４１の下面に当接して位置決めされて固定される。
鍔部５２の下面は、照明器具１０を取付開口１２に取り付けた際に天井面１１の下方に露出するものであり、下方から見た外観を良好にするように形成されている。
【００２１】
次に、取付金具３０の開口部３３に設けられているテーパ部３４の傾斜角度について説明する。
本来、ＬＥＤ光源２１からの光および反射板２４で反射した光は、コーン部材５０により所定の範囲に照射される。
しかしながら、反射板２４とコーン部材５０との間に、取付金具３０が設けられているので、取付金具３０に光が照射されて反射すると、予め設定された所定の範囲の外側に照射される場合があり、グレアを生じるおそれがある。
すなわち、図４に示すように、反射板２４の照射開口淵における第一の点Ｐ１と、コーン部材５０の照射開口淵において第一の点Ｐ１に対向する位置にある第二の点Ｐ２と、を結んだ直線Ｌ１と、天井面１１との成すグレアカット角度θ（以後、「角度θ」という。）の範囲内に光が照射されるとグレアを生じる。
【００２２】
ここで、図４中点線で示すように、テーパ部３４を設けずに、開口部３３が垂直面３６を有する円柱形状の場合を考える。
この場合には、ＬＥＤ光源２１からの光ＬＢＡ１、あるいは反射板２４で反射した光ＬＢＡ２が取付金具３０の垂直面３６で反射すると、反射光ＬＢＢは、コーン部材５０の第二の点Ｐ２を通って、角度θの範囲内に照射されるおそれがある。
【００２３】
そこで、本発明の照明器具１０では、テーパ部３４の傾斜角度を、テーパ部３４による反射光ＬＢＡ３が直線Ｌ１よりも照射側（下側）に照射される傾斜角度に設定する。
これにより、ＬＥＤ光源２１からの光ＬＢＡ１、あるいは反射板２４で反射した光ＬＢＡ２が取付金具３０のテーパ部３４に照射されても、反射光ＬＢＡ３は直線Ｌ１よりも下方に照射されるので、角度θの範囲に光が照射されるのを防止する。
なお、テーパ部３４は、直線的に傾斜した場合および曲線的に傾斜した場合が可能である。
【００２４】
本発明の照明器具１０の作用効果について説明する。
図１および図２に示すように、ＬＥＤ光源２１およびＬＥＤ光源２１からの光を所定方向に反射する反射板２４を備えた灯具２０は、取付金具３０を介して、天井面１１に取り付けられる枠体４０に取り付けられる。
取付金具３０は開口部３３を有しており、ＬＥＤ光源２１からの光や反射板２４で反射した光は、開口部３３から枠体４０に取り付けられているコーン部材５０に取り出され、所定方向に照射される。
【００２５】
このとき、図４に示すように、開口部３３に照射方向に向かって徐々に拡径するテーパ部３４を設けたので、一部の光ＬＢＡ２は、テーパ部３４において反射する。
ここで、テーパ部３４の傾斜角度を、反射板２４の照射開口淵における第一の点Ｐ１と、コーン部材５０の照射開口淵において第一の点Ｐ１に対向する位置にある第二の点Ｐ２と、を結んだ直線Ｌ１よりも照射側に光ＬＢＡ３を反射するようにした。
従って、ＬＥＤ光源２１または反射板２４からテーパ部３４に照射され反射した光ＬＢＡ３は、第一の点Ｐ１と第二の点Ｐ２を結んだ直線Ｌ１の外側、すなわち角度θの範囲内に照射されない。
これにより、照明光の光量を低下させることなくグレアの防止を図ることができる。
【００２６】
本発明の照明器具は、前述した実施形態に限定されるものでなく、適宜な変形，改良等が可能である。
例えば、前述した実施形態においては、光源としてＬＥＤ２１２を１個用いた場合を例示したが、ＬＥＤ２１２を複数個用いることも可能である。
また、前述した実施形態においては、光源としてＬＥＤ２１２を用いた場合を例示したが、光源の種類は、これに限定するものではない。
【符号の説明】
【００２７】
１０  照明器具
１１  天井面（被取付面）
２０  灯具
２１  ＬＥＤ光源（光源）
２４  反射板
３０  取付金具
３３  開口部（光取出部）
３４  テーパ部
４０  枠体
５０  コーン部材
Ｌ１  直線
Ｐ１  第一の点
Ｐ２  第二の点
【図１】
2014107090.tif 000003
【図２】
2014107090.tif 000004
【図３】
2014107090.tif 000005
【図４】
2014107090.tif 000006
【図５】
2014107090.tif 000007